(57)【要約】
【課題】ビデオカセットレコーダのテープローディング装置において、部品点数の削減を図りながら、アンローディング開始時の動作音を低減する。
【解決手段】　巻取り側のローディングアーム９にギア１５の近傍より下方に突出するボス４３を設け、モードレバー１０に、テープローディング時からアンローディング動作の開始直後にボス４３をガイドするためのカム溝４４を設ける。カム溝４４には傾斜溝区間４６が設けられている。アンローディング動作の開始直後に、傾斜溝区間４６がボス４３を介してコイルばね１３の付勢反力を受けてローディングアーム９のアンローディング方向（矢印Ｊ方向）への回転を遅延させることにより、ギア１５とギア１８の噛合せ部及びギア１７とラック３０の噛合わせ部において発生するギアの打撃音を低減させる。
【選択図】図４
0003099702.tif 000002
【実用新案登録請求の範囲】
【請求項１】
　磁気テープをガイドするためのガイドローラとガイドポストが立設され、シャーシに設けられたガイド溝に沿って摺動することにより、磁気テープを引出してヘッドシリンダに巻き付ける供給側及び巻取り側のスライダと、
　この供給側及び巻取り側のスライダにそれぞれ連結され、摺動のための駆動力を付与する供給側及び巻取り側のレバー部材と、
　シャーシに回転自在に軸支され、回転力を受けるための第１のギアを有し、前記巻取り側のレバー部材に連結され前記巻取り側のスライダを摺動させるための駆動力を前記巻取り側のレバー部材に伝達する巻取り側のローディングアーム部材と、
　シャーシに回転自在に支持され、回転力を受けるための第２のギア、及び前記第１のギアと噛合って前記巻取り側のローディングアーム部材に回転力を伝達する第３のギアを有し、前記供給側のレバー部材に連結され前記供給側のスライダを摺動させるための駆動力を前記供給側のレバー部材に伝達する供給側のローディングアーム部材と、
　前記巻取り側及び供給側のローディングアーム部材に装着され、テープローディング完了時に、供給側及び巻取り側のスライダが前記ガイド溝の終端に当接するように、前記供給側及び巻取り側のレバー部材を付勢する付勢手段と、
　前記第２のギアと噛合うラックを有し、ビデオカセットレコーダの動作モードに応じてシャーシに沿ってスライド移動することにより、前記供給側のローディングアーム部材に回転のための駆動力を伝達するモードレバー部材とを備えたビデオカセットレコーダのテープローディング装置において、
　前記巻取り側のローディングアーム部材は、前記第1のギアの近傍より突出するボスを有し、
　前記モードレバー部材は、テープローディング時からアンローディング動作の開始直後に前記ボスをガイドするためのカム溝を有し、
　前記カム溝は、アンローディング動作の開始直後に前記ボスを介して前記付勢手段の付勢反力を受けて前記巻取り側のローディングアームのアンローディング方向への回転を遅延させるための傾斜溝区間を有し、該巻取り側のローディングアームのアンローディング方向への回転を規制し遅延させることにより、アンローディング動作の開始直後に前記第１のギアと第３のギアの噛合せ部及び前記第２のギアとラックの噛合わせ部において発生するギアの打撃音を低減させることを特徴とするビデオカセットレコーダのテープローディング装置。
【請求項２】
　磁気テープをガイドするためのガイドローラとガイドポストが立設され、シャーシに設けられたガイド溝に沿って摺動することにより、磁気テープを引出してヘッドシリンダに巻き付ける第1及び第２のスライダと、
　シャーシに回転自在に軸支され、回転力を受けるための第１のギアを有し、前記第１のスライダに摺動のための駆動力を伝達する第１のローディングアーム部材と、
　シャーシに回転自在に軸支され、回転力を受けるための第２のギア、及び前記第１のギアと噛合って前記第１のローディングアーム部材に回転力を伝達する第３のギアを有し、前記第２のスライダに摺動のための駆動力を伝達する第２のローディングアーム部材と、
　前記第1及び第２のローディングアーム部材に装着され、テープローディング完了時に、前記第1及び第２のスライダが前記ガイド溝の終端に当接するように、各スライダを付勢するための付勢手段と、
　前記第２のギアと噛合うラックを有し、ビデオカセットレコーダの動作モードに応じてシャーシに沿ってスライド移動することにより、前記第２のローディングアーム部材に回転のための駆動力を伝達するモードレバー部材とを備えたビデオカセットレコーダのテープローディング装置において、
　前記第1又は第２のローディングアーム部材は、前記第1のギアの近傍より突出するボスを有し、
　前記モードレバー部材は、テープローディング時からアンローディング動作の開始直後に前記ボスをガイドするためのカム溝を有し、
　前記カム溝は、アンローディング動作の開始直後に前記ボスを介して前記付勢手段の付勢反力を受けて前記第２のローディングアームのアンローディング方向への回転を遅延させるための傾斜溝区間を有し、該第1又は第２のローディングアームのアンローディング方向への回転を規制し遅延させることにより、アンローディング動作の開始直後に前記第１のギアと第３のギアの噛合せ部及び前記第２のギアとラックの噛合わせ部において発生するギアの打撃音を低減させることを特徴とするビデオカセットレコーダのテープローディング装置。
【考案の詳細な説明】
【技術分野】
【０００１】
　本考案は、ビデオカセットから磁気テープを引出して、ビデオカセットレコーダのヘッドシリンダに巻き付けるテープローディング装置に関するものである。
【背景技術】
【０００２】
　従来のテープローディング装置は、磁気テープをガイドしつつシャーシに設けられたガイド溝に沿って摺動する供給側及び巻取り側のスライダと、シャーシに回転自在に軸支され、巻取り側のスライダに摺動のための駆動力を伝達する巻取り側ローディングアームと、シャーシに回転自在に軸支され、巻取り側ローディングアームに回転のための駆動力を伝達すると共に、供給側のスライダに摺動のための駆動力を伝達する供給側ローディングアームと、シャーシに回転自在に軸支され、供給側ローディングアームに回転のための駆動力を伝達するアーム駆動ギアと、ビデオカセットレコーダの動作モードに応じてシャーシに沿ってスライド移動することにより、アーム駆動ギアに回転のための駆動力を伝達するモードレバー等によって構成されている。
【０００３】
　供給側及び巻取り側のローディングアーム並びにアーム駆動ギアは、シャーシから下方に立設された支持軸によって支持されている。巻取り側のローディングアームには供給側のローディングアームから回転駆動力を受ける第１のギアが設けられ、供給側のローディングアームにはアーム駆動ギアと噛合う第２のギア及び第１のギアと噛合う第３のギアが設けられている。供給側のスライダと供給側のローディングアームとは、供給側レバーを介して連結されており、巻取り側のスライダと巻取り側のローディングアームとは、巻取り側のレバーを介して連結されている。供給側のレバー及び巻取り側のレバーの各ローディングアームとの連結部は、コイルばねによって各ローディングアームを延伸する方向にそれぞれ付勢されている。このように、コイルばねを用いて各レバーを付勢することによって、ローディング完了時に供給側のレバー及び巻取り側のスライダを各ガイド溝の終端に当接させることができ、磁気テープをそのテンションを適正に維持しつつヘッドシリンダに巻付けることが可能となる。
【０００４】
　ところで、上記従来のテープローディング装置においては、アンローディング動作の開始時に、コイルばねの付勢反力を受けたローディングアームがアンローディング方向に瞬間的に回転し、この回転により、アーム駆動ギアと第２のギアとの噛合せ部及び第１のギアと第３のギア噛合せ部においてギアの打撃音が発生し、ユーザに不快感を与える。このような、ギアの打撃音は、各ギアの噛合わせ部に隙間（バックラッシュ）を設ける関係から不可避なものであるが、ローディングアームのアンローディング方向への回転を遅延させることにより、低減することができる。そこで、上記従来装置においては、例えば、アーム駆動ギアに、ばね性を有し、ローディングアーム及びモードレバーに当接するばね性当り部を設け、このばね性当り部によって、ローディングアームの瞬間的な回転を緩衝させることにより、各ギアの噛合わせ部において発生する打撃音の低減を図っている。
【０００５】
　また、上記従来のテープローディング装置とは別に、シャーシにモードレバーをガイドするためのガイド軸を立設し、モードレバーに該ガイド軸を挿通するためのガイド溝を設け、さらに、ガイド溝側壁にばね性を付与するための溝を、該ガイド溝の近傍にさらに形成した装置が知られている（例えば、特許文献１参照）。
【特許文献１】特開平１０−１９９０７５号公報
【考案の開示】
【考案が解決しようとする課題】
【０００６】
　近年、ビデオカセットレコーダにも製造コストの低減の要請が強くなっており、さらなる部品点数の削減が検討されている。例えば、上記従来のテープローディング装置においては、アーム駆動ギアの削減が検討されている。しかしながら、従来装置においてアーム駆動ギアはローディングアームのアンローディング方向への回転を緩衝させる機能を備えているので、このようなアーム駆動ギアを削減した場合は、アンローディング開始時のビデオカセットレコーダの動作音を低減することができなくなる。
【０００７】
　また、上記特許文献１に示された装置においては、ガイド溝側壁の弾性変形によってモードレバーの姿勢が僅かながらも変化するため、モードレバーの変位をきっかけとする他の動作の制御に支障を及ぼすことがある。また、ビデオカセットレコーダが長期に亘って酷使された場合、ガイド溝側壁の周辺のばね機構にへたりが生じ、アンローディング開始時のビデオカセットレコーダの動作音を十分に低減することができない。
【０００８】
　本考案は、上記課題を解決するためになされたものであり、部品点数の削減を図りながら、テープローディング以外の他の動作に支障を及ぼすことなく、アンローディング開始時の動作音を低減することができるビデオカセットレコーダのテープローディング装置を提供することを目的とする。
【課題を解決するための手段】
【０００９】
　上記目的を達成するために請求項１の考案は、磁気テープをガイドするためのガイドローラとガイドポストが立設され、シャーシに設けられたガイド溝に沿って摺動することにより、磁気テープを引出してヘッドシリンダに巻き付ける供給側及び巻取り側のスライダと、この供給側及び巻取り側のスライダにそれぞれ連結され、摺動のための駆動力を付与する供給側及び巻取り側のレバー部材と、シャーシに回転自在に軸支され、回転力を受けるための第１のギアを有し、巻取り側のレバー部材に連結され巻取り側のスライダを摺動させるための駆動力を巻取り側のレバー部材に伝達する巻取り側のローディングアーム部材と、シャーシに回転自在に支持され、回転力を受けるための第２のギア、及び第１のギアと噛合って巻取り側のローディングアーム部材に回転力を伝達する第３のギアを有し、供給側のレバー部材に連結され供給側のスライダを摺動させるための駆動力を供給側のレバー部材に伝達する供給側のローディングアーム部材と、巻取り側及び供給側のローディングアーム部材に装着され、テープローディング完了時に、供給側及び巻取り側のスライダがガイド溝の終端に当接するように、供給側及び巻取り側のレバー部材を付勢する付勢手段と、第２のギアと噛合うラックを有し、ビデオカセットレコーダの動作モードに応じてシャーシに沿ってスライド移動することにより、供給側のローディングアーム部材に回転のための駆動力を伝達するモードレバー部材とを備えたビデオカセットレコーダのテープローディング装置において、巻取り側のローディングアーム部材は、第1のギアの近傍より突出するボスを有し、モードレバー部材は、テープローディング時からアンローディング動作の開始直後にボスをガイドするためのカム溝を有し、カム溝は、アンローディング動作の開始直後にボスを介して付勢手段の付勢反力を受けて巻取り側のローディングアームのアンローディング方向への回転を遅延させるための傾斜溝区間を有し、該巻取り側のローディングアームのアンローディング方向への回転を規制し遅延させることにより、アンローディング動作の開始直後に第１のギアと第３のギアの噛合せ部及び第２のギアとラックの噛合わせ部において発生するギアの打撃音を低減させるものである。
【００１０】
　請求項２の考案は、磁気テープをガイドするためのガイドローラとガイドポストが立設され、シャーシに設けられたガイド溝に沿って摺動することにより、磁気テープを引出してヘッドシリンダに巻き付ける第1及び第２のスライダと、シャーシに回転自在に軸支され、回転力を受けるための第１のギアを有し、第１のスライダに摺動のための駆動力を伝達する第１のローディングアーム部材と、シャーシに回転自在に軸支され、回転力を受けるための第２のギア、及び第１のギアと噛合って第１のローディングアーム部材に回転力を伝達する第３のギアを有し、第２のスライダに摺動のための駆動力を伝達する第２のローディングアーム部材と、第1及び第２のローディングアーム部材に装着され、テープローディング完了時に、第1及び第２のスライダがガイド溝の終端に当接するように、各スライダを付勢するための付勢手段と、第２のギアと噛合うラックを有し、ビデオカセットレコーダの動作モードに応じてシャーシに沿ってスライド移動することにより、第２のローディングアーム部材に回転のための駆動力を伝達するモードレバー部材とを備えたビデオカセットレコーダのテープローディング装置において、第1又は第２のローディングアーム部材は、第1のギアの近傍より突出するボスを有し、モードレバー部材は、テープローディング時からアンローディング動作の開始直後にボスをガイドするためのカム溝を有し、カム溝は、アンローディング動作の開始直後にボスを介して付勢手段の付勢反力を受けて第２のローディングアームのアンローディング方向への回転を遅延させるための傾斜溝区間を有し、該第1又は第２のローディングアームのアンローディング方向への回転を規制し遅延させることにより、アンローディング動作の開始直後に第１のギアと第３のギアの噛合せ部及び第２のギアとラックの噛合わせ部において発生するギアの打撃音を低減させるものである。
【考案の効果】
【００１１】
　請求項１の考案によれば、巻取り側のローディングアームに設けられたボスとモードレバーに設けられた傾斜溝区間との係合によって、アンローディング開始時におけるローディングアームの回転角を矯正するので、第１のギアと第３のギアの噛合せ部及び第２のギアとラックの噛合わせ部において発生するギアの打撃音を低減することができる。これにより、従来のテープローディング装置において必要とされていたアーム駆動ギアを省略しつつ、アンローディング開始時におけるビデオカセットレコーダの動作音を、ユーザが不快感を感じない程度にまで低減することができる。また、アーム駆動ギアを省略することにより、アーム駆動ギアを軸支するための支持軸及びアーム駆動ギアの支持軸からの脱落を防止するためのワッシャをも省くことが可能となるので、ビデオカセットレコーダの部品点数をさらに削減することができ、その製造コストの削減を図ることができる。また、モードレバーに弾性変形させる部位を設ける必要がないので、モードレバーの姿勢は変化しない。従って、モードレバーの変位をきっかけとするテープローディング以外の他の動作に支障を及ぼすこともない。
【００１２】
　請求項２の考案によれば、第１又は第２のローディングアームに設けられたボスとモードレバーに設けられた傾斜溝区間との係合によって、アンローディング開始時におけるローディングアームの回転角を矯正するので、第１のギアと第３のギアの噛合せ部及び第２のギアとラックの噛合わせ部において発生するギアの打撃音を低減することができる。これにより、請求項１と同等の効果を得ることができる。なお、本考案は、第１のローディングアームとして供給側のローディングアームを、第２のローディングアームとして巻取り側のローディングアームを適用して構成することも可能であるので、テープローディング装置の設計の自由度が高められる。
【考案を実施するための最良の形態】
【００１３】
　本考案を実施するための最良の形態について図面を参照して説明する。本考案の一実施の形態に係る磁気テープを用いた記録再生装置の構成を図１及び図２に示す。図１はシャーシＣの上側（テープカセットが装着される側）の構成を示す正面図であり、図２はシャーシＣの下側の構成を示す背面図である。
【００１４】
　テープローディング装置１は、ビデオカセットレコーダ５０に装填されたビデオカセットから磁気テープを引出してヘッドシリンダ２に巻き付ける装置であり、従来の装置において、ローディングアームに回転駆動力を伝達すると共にアンローディング開始時の動作音を低減するために必要とされていたアーム駆動ギアを省略し得るように構成されている。すなわち、テープローディング装置１は、シャーシＣのヘッドシリンダ２を挟んで互いに対向する位置に設けられたガイド溝３Ａ，３Ｂに沿って摺動する供給側のスライダ（第２のスライダ）４及び巻取り側のスライダ（第１のスライダ）５と、供給側の供給側スライダ４及び巻取り側スライダ５にそれぞれ連結され、摺動のための駆動力を付与する供給側のレバー（第２のレバー）６及び巻取り側のレバー（第１のレバー）７と、シャーシＣに回転自在に軸支され、供給側スライダ４を摺動させるための駆動力をレバー６に伝達する供給側のローディングアーム（第２のローディングアーム）８及び巻取り側スライダ５を摺動させるための駆動力をレバー７に伝達する巻取り側のローディングアーム（第１のローディングアーム）９と、ビデオカセットレコーダ５０の動作モードに応じてシャーシＣに沿ってスライド移動することにより、ローディングアーム８，９に回転のための駆動力を伝達するモードレバー１０等を備えている。
【００１５】
　各スライダ４，５は、各ガイド溝３Ａ，３Ｂにそれぞれ嵌挿され、かつそれらのシャーシＣの上面側には、磁気テープをガイドするためのガイドローラ１１と、ガイドポスト１２が立設されている。各レバー６，７及び各ローディングアーム８，９はシャーシＣの下面側に配設されている。レバー６の一端側は供給側スライダ４に回転自在に連結されており、他端側はローディングアーム８の先端部に回転自在に、かつ、ローディングアーム８の先端を延伸する方向にスライド自在に連結されている。同様に、レバー７の一端側は巻取り側スライダ５に回転自在に連結されており、他端側はローディングアーム９の先端部に回転自在に、かつ、ローディングアーム９の先端を延伸する方向にスライド自在に連結されている。また、各レバー６，７は、それぞれローディングアーム８，９の先端部に装着されたコイルばね（付勢手段）１３（図３参照）によって各ローディングアーム８，９の先端を延伸する方向に付勢されている。このように、コイルばね１３によって各レバー６，７を付勢することによって、ローディングアーム８，９の実質的なアーム長が延長されることになる。これにより、ローディング完了時に各スライダ４，５が各ガイド溝３Ａ，３Ｂの終端にそれぞれ押し付けられ、各スライダ４，５を各ガイド溝３Ａ，３Ｂの終端位置に正確に停止させることができるようになる。
【００１６】
　ローディングアーム９は、回転力を受けるための第１のギア１５を有し、第１の支持軸１６に回転自在に軸支される。ローディングアーム８は、回転力を受けるための第２のギア１７、及びギア１５と噛合ってローディングアーム９に回転力を伝達する第３のギア１８を有し、第２の支持軸１９に回転自在に軸支される。
【００１７】
　モードレバー１０は、ローディングアーム８，９よりもシャーシＣの下方向に配置され、ギア１７と噛合うラック３０及びギア部品３１と噛合うラック３２と、シャーシＣより切り起されたフック部３３が係合されるガイド溝３４を有し、フック部３３によってシャーシＣに沿ってスライド自在に支持されている。ギア部品３１、ギア部品３５，３６、ウォーム３７、プーリ３８、ベルト３９、プーリ４０及びローディングモータ４１によりモードレバー駆動機構が構成される。すなわち、ローディングモータ４１の駆動力は、プーリ４０、ベルト３９、プーリ３８、ウォーム３７、ギア部品３６、ギア部品３５、ギア部品３１を順次介してモードレバー１０に伝達され、モードレバー１０がスライド駆動される。モードレバー１０のスライドに移動に伴ってラック３０がギア１７を回転駆動し、ローディングアーム８が回転すると共に、ギア１８がギア１５を回転駆動しローディングアーム９が回転する。これにより、各スライダ４，５が駆動され、各ガイド溝３Ａ，３Ｂに沿って摺動する。
【００１８】
　図３は、ローディング完了時におけるテープローディング装置１をシャーシＣの下面側から示した背面図である。巻取り側のローディングアーム９のギア１５の近傍（内周側）には、ボス４３がシャーシＣの下方向に突出して設けられている。また、モードレバー１０の縁部２３の上面側には、ボス４３が係合されるカム溝４４が設けられている。カム溝４４は、平坦溝区間４５と、平坦溝区間４５の終端より連続して形成されている傾斜溝区間４６とを有している。カム溝４４の側壁は、傾斜溝区間４６においてローディングアーム９の回転軸１６の方向に屈曲して形成されている。
【００１９】
　図４は、アンローディング動作時におけるテープローディング装置１の要部の変遷を示している。（ａ）において、アンローディング動作の開始直後には、コイルばね１３の付勢反力によってローディングアーム８には、矢印Ｈ方向のモーメントが、ローディングアーム９には、矢印Ｊ方向のモーメントが発生する。このとき、ボス４３がカム溝４４の傾斜溝区間４６の側壁と当接するので、カム溝４４の側壁がコイルばね１３の付勢反力を受け、ローディングアーム８の矢印Ｈ方向への回転及びローディングアーム９の矢印Ｊ方向への回転を規制する。
【００２０】
　その後、（ｂ）において、アンローディング動作が進行し、モードレバー１０が矢印Ｋ方向に駆動されると、ボス４３がカム溝４４の傾斜溝区間４６を徐々に下りながら、コイルばね１３の付勢反力を受けたローディングアーム９をガイドし、その回転を遅延させる。このとき、ギア１５とギア１８及びギア１７とラック３０はそれぞれの噛合わせ部において、それぞれの歯が当接していない状態である。
【００２１】
　さらに、（ｃ）において、アンローディング動作が進行し、モードレバー１０が矢印Ｋ方向に駆動されると、ボス４３がカム溝４４の傾斜溝区間４６を下りきり、平坦溝区間４５に進入する。ここで、（ｂ）に示した状態から（ｃ）に示した状態に移行する過程においても、ボス４３と係合されている傾斜溝区間４６がコイルばね１３の付勢反力を受け、ローディングアーム９の回転を規制し遅延させるので、ギア１５とギア１８及びギア１７とラック３０はそれぞれの噛合わせ部において、打撃音がほとんど発生しない程度に、それぞれの歯がゆっくりと当接する。そして、これより以後においては、モードレバー１０によってローディングアーム８が回転駆動され、その駆動力がローディングアーム９に伝達される。なお、アンローディング動作の開始時におけるローディングアーム９及びこれに連動して回転するローディングアーム８の回転角速度は、モードレバー１０の移動方向に対する傾斜溝区間４６の傾斜角度によって決定されるので、傾斜溝区間４６の傾斜角度を適宜設定することによって、ユーザが不快感を感じない程度にまで、ギア１５とギア１８及びギア１７とラック３０の歯当たりによる打撃音を低減することができる。
【００２２】
　以上のように、テープローディング装置１によれば、ボス４３とカム溝４４の傾斜溝区間４６によってローディングアーム９の回転角を矯正するので、ギア１５とギア１８の噛合せ部及びギア１７とラック３０の噛合わせ部において発生するギアの打撃音を低減することができる。これにより、従来のテープローディング装置において必要とされていたアーム駆動ギアを省略しつつ、アンローディング開始時におけるビデオカセットレコーダ１の動作音を、ユーザが不快感を感じない程度にまで低減することができる。また、アーム駆動ギアを省略することにより、アーム駆動ギアを軸支するための支持軸及びアーム駆動ギアの支持軸からの脱落を防止するためのワッシャをも省くことが可能となるので、ビデオカセットレコーダ１の部品点数をさらに削減することができ、その製造コストの削減を図ることができる。従来のビデオカセットレコーダのように、モードレバー１０に弾性変形させる部位（ばね機構）を設ける必要がないので、モードレバー１０の姿勢は変化しない。従って、モードレバー１０の変位をきっかけとするテープローディング以外の他の動作に支障を及ぼすこともない。また、ボス４３とカム溝４４によってローディングアーム９の回転角度を矯正するように構成しているので、ビデオカセットレコーダ１を長期に亘って使用しても、テープローディング装置を構成する各部材にへたりが生ずることもなく、動作音の低減効果を維持することができる。
【００２３】
　なお、本考案は上記実施形態の構成に限られることなく種々の変形が可能であり、例えば、ボス４３は巻取り側のローディングアーム９に設けられる形態に限られることなく、供給側のローディングアーム８に設けられていてもよい。また、テープローディング装置５０は、第２のギア１７を巻取り側のローディングアームに設けて成る形態であっても構わない。この場合において、請求項２に記載の第１のローディングアームとは、供給側のローディングアーム８をいい、第２のローディングアームとは、巻取り側のローディングアーム９をいう。請求項２に記載の第１及び第２のスライダ、第１及び第２のレバー部材に関しても同様である。
【図面の簡単な説明】
【００２４】
【図１】本考案の一実施形態によるテープローディング装置を備えたビデオカセットレコーダを示した正面図。
【図２】同レコーダを示した背面図。
【図３】同装置のローディング完了後の状態を示した背面図
【図４】（ａ）乃至（ｃ）は、アンローディング動作時における同装置の要部の変遷を示した図。
【符号の説明】
【００２５】
　１　　テープローディング装置
　２　　ヘッドシリンダ
　４　　供給側のスライダ（第２のスライダ）
　５　　巻取り側のスライダ（第１のスライダ）
　６　　供給側のレバー（第２のレバー）
　７　　巻取り側のレバー（第１のレバー）
　８　　供給側のローディングアーム（第２のローディングアーム）
　９　　巻取り側のローディングアーム（第１のローディングアーム）
　１０　　モードレバー
　１３　　コイルばね（付勢手段）
　１５　　第１のギア
　１７　　第２のギア
　１８　　第３のギア
　４３　　ボス
　４４　　カム溝
　４６　　傾斜溝区間
　５０　　ビデオカセットレコーダ
　Ｃ　　シャーシ　　
【図１】
0003099702.tif 000003
【図２】
0003099702.tif 000004
【図３】
0003099702.tif 000005
【図４】
0003099702.tif 000006